(57)【要約】【解決手段】  インキュベータで代表される複数の培養機器と、薬品保冷庫で代表される複数の保存機器に、それぞれ電気錠を設けた１チャンバー１ドナーの思想に基づくシステム構築と、この１チャンバー１ドナーをバーコードで明示し、ドナー対応の検体の人為操作ミスによるコンタミネーションを生じにくくする集中管理システムを提供すること。【構成】  再生医療における目的検体を保存する電気錠付きの複数の検体保存機器の各電気錠を集中管理するパソコンに接続されたバーコードスキャナと、各保存機器の電気錠を開閉するドライバユニットとで構成され、検体保存機器には、バーコードラベルを貼りつけた１ドナーの検体を収納した培養容器もしくは培地保存ボトルを保存し、ドライバユニットが、パソコンの指示に基づきスキャナで読み取られたバーコードと同じラベルを貼り付けた検体を収納した検体保存機器の電気錠のみを開閉操作する集中管理システム。【選択図】      図１
2005304439.tif 000002
【特許請求の範囲】
【請求項１】
再生医療における目的検体を保存する電気錠付きの複数の検体保存機器と、各保存機器の電気錠を集中管理するパソコンと、このパソコンに接続されたバーコードリーダ及びバーコード発行機と、各保存機器とパソコンとの間に位置し各保存機器の電気錠を開閉するドライバユニットとから構成され、各検体保存機器には各バーコードラベルを貼りつけた１ドナーの検体を収納した培養容器もしくは培地保存ボトルを保存するとともに、前記ドライバユニットは、前記パソコンの指示に基づき、前記バーコードリーダで読み取られたバーコードと同じバーコードラベルを貼り付けた検体が収納される検体保存機器の電気錠を開閉操作することを特徴とする検体保存機器の集中管理システム。
【請求項２】
再生医療における目的検体を保存する電気錠付きの複数の検体保存機器と、各保存機器の電気錠を集中管理するパソコンと、このパソコンに接続されたバーコードリーダ及びバーコード発行機と、各保存機器とパソコンとの間に位置し各保存機器の電気錠を開閉するドライバユニットとから構成され、前記バーコード発行機で発行した１ドナーのバーコードを１ドナーの検体を収納した培養容器もしくは培地保存ボトルに対応させた工程指示書に張り付け、前記ドライバユニットは、貼り付けられた工程指示書のバーコードを前記バーコードリーダで読み取り当該バーコードを貼り付けた検体が収納される検体保存機器の電気錠を開閉操作することを特徴とする検体保存機器の集中管理システム。
【請求項３】
前記検体保存機器は、前記培養装置と薬品保冷庫および／または超低温フリーザであることを特徴とする請求項２に記載の検体保存機器の集中管理システム。
【請求項４】
前記各検体保存機器に表示部を設けたことを特徴とする請求項２に記載の検体保存機器の集中管理システム。
【請求項５】
前記ドライバユニットは、電気錠を開放させる検体保存機器の表示部を、他の件体保存機器の表示部と異なる表示状態に制御することを特徴とする請求項４に記載の検体保存機器の集中管理システム。
【請求項６】
再生医療における目的検体を保存する電気錠付きの複数の検体保存機器と、各保存機器の電気錠を集中管理するパソコンと、このパソコンに接続されたバーコードリーダ及びバーコード発行機と、各保存機器とパソコンとの間に位置し各保存機器の電気錠を開閉するドライバユニットとから構成され、バーコード発行機は、検体に関する情報を入力する入力部と、当該情報をバーコード化して印刷する印刷部とを備え、前記パソコンは、前記入力部で入力された検体に関する情報に合致するバーコードと同じバーコードラベルを貼り付けた検体が収納される検体保存機器を判別すると共に、判別された検体保存機器の電気錠を前記ドライバユニットにより開閉操作させることを特徴とする検体保存機器の集中管理システム。
【請求項７】
前記バーコード発行機で発行され、且つ、あるドナーの検体を収納した培養容器もしくは培地保存ボトルに対応すると共に呼応する工程指示書に張り付けられるあるドナーに対応する複数のバーコードを備えたことを特徴とする請求項６に記載の検体保存機器の集中管理システム。
【請求項８】
再生医療における目的検体を保存する電気錠付きの複数の検体保存機器と、各保存機器の電気錠を集中管理するパソコンと、各保存機器と信号線により接続され前記パソコンと通信線により接続されて各保存機器とパソコンの間に位置し各保存機器の電気錠を開閉するドライバユニットとを備えたことを特徴とする検体保存機器の集中管理システム。
【請求項９】
前記パソコンに接続されたバーコードリーダを備えた請求項８に記載の検体保存機器の集中管理システム。
【請求項１０】
前記パソコンに接続されたバーコード発行機が、検体に関する情報を入力する入力部と、当該情報をバーコード化して印刷する印刷部とを備えたことを特徴とする請求項８に記載の検体保存機器の集中管理システム。
【請求項１１】
前記検体保存機器には、扉の開閉を検出する開閉センサを設け、前記ドライバユニットは、当該センサからの信号により扉が閉塞された場合に自動的に電気錠を閉塞させることを特徴とする請求項９に記載の検体保存機器の集中管理システム。
【発明の詳細な説明】
【技術分野】
【０００１】
本発明は、清浄環境に保持された作業空間を形成すると共にその外部に微生物や細菌等が漏れでないようにしたバイオハザード対策用キャビネットや、細胞や微生物などの培養物（試料）を培養する炭酸ガス（ＣＯ2）インキュベータやマルチガスインキュベータを備えた複数の培養装置及び薬品や血液等を冷却保存する薬品保冷庫等の複数の試料保存装置（これらを総称して検体保存機器という）を一括管理する検体保存機器の集中管理システムに関するものである。
【背景技術】
【０００２】
バイオハザード対策用キャビネット（従前は安全キャビネットと称しており、以下単にキャビネットという）は、危険な微生物や細菌等の試料を取り扱う清浄な（無菌の）環境に保持された作業空間を形成するものであり、インキュベータ（培養装置）は、内部（培養室内）の温度やＣＯ2濃度を一定に保持し、内部を無菌状態として培養対象としての細胞や微生物などの培養物（試料）を培養するものであるため、その内部は定期的な滅菌処理が必要となる。また、キャビネットから取出した試料を複数の培養装置や薬品保冷庫（即ち、試料保存装置）に、それぞれ独立して、試料毎に別個に収納して、検体保存を行うことがある。
【０００３】
一方、特許文献１に示されるように、冷却装置を備えた本体に設けられた加工処理空間と加工機と、加工処理空間の出入口に設けられた開閉扉とを備え、開閉扉が閉じられたときにこの扉の自動ロックを行う自動ロック装置を設けた自動販売装置があった。
【０００４】
また、特許文献２に示されるように、複数の窓口カウンターを通信ネットワークを通じて集中的に情報管理する窓口カウンターシステムがあり、当該システムは、画像情報を読み取るスキャナや数字並びに文字を識別判断して読み取る認識応用手続処理ユニットを備えたものである。
【特許文献１】特開２００２−３７３３７２号公報
【特許文献２】特開平９−２３７５３８号公報
【発明の開示】
【発明が解決しようとする課題】
【０００５】
まず、特許文献１に示されるような販売装置を電気錠付きの培養装置に置き換えて考えてみる。即ち、キャビネットと培養機器もしくは薬品保冷庫の間で試料（検体）を移動する場合には、必ず人手を要することから、この人の介在によって検体に対して雑菌が混入する危惧が高いものとなっていた。
【０００６】
近年、ＧＭＰ（Good Manufacturing Practice）施設における交差汚染問題や、キャビネットにおける検体の出し入れの際に作業空間からキャビネットの外部に雑菌の混入した物質や気体が漏洩する所謂コンタミネーションの可能性を秘めており、更に、安全性向上の為にキャビネットや培養機器もしくは薬品保冷庫を設置している部屋の空気清浄度を高める必要があり、部屋内に清浄装置を追加するなどその設備費用が嵩むなどの課題もあった。加えて、通常は一つの部屋に対してある一人の検体（所謂１ルーム１ドナーの思想）を原則として、検体管理を行うようにすることが推奨されていたが、このような方式では複数のドナーを管理する場合に複数の部屋が必要な為、システムとしては非常に大きな施設になってしまい、このシステムを産業化する場合に、とても高価になり、製作側とすれば採算が合わなくなって販売できなかったり設置することができなくなったりする不具合があった。
【０００７】
他方、特許文献２に示されるような窓口カウンターシステムを集中管理システムに置き換えて考えてみると、ある一室に集中管理システムの最も一般的な形態であるパソコンを配置し、このパソコンの置かれた部屋とは別の部屋において、パソコンとは通信線で接続されたキャビネットと、複数のインキュベータと、複数の薬品保冷庫とを配置する。この場合、パソコンにより、キャビネットと、複数のインキュベータと、複数の薬品保冷庫とがそれぞれ独立して集中制御されることになる。当該集中管理システムの使用者が、一室にあるパソコンを操作して、ある一つの制御機器（特に同じ物）に対して、検体の収納や取出しの作業を行おうとする際には、通常複数の棚を有するインキュベータや薬品保冷庫には、複数の検体を配置することも可能であり、人為操作ミスで異なるドナーの検体が同じ機器内に収納されてしまったり、所望とする機器に対して所望とする人の検体を収納することができなかったりするという、検体取り違えのミスが発生する危惧があり、このミスを防止することができなかった。
【０００８】
本発明は、このような集中管理システムにあって、インキュベータにて代表される複数の培養機器と、薬品保冷庫にて代表される保冷庫や超低温フリーザにて代表される冷凍庫等の複数の保存機器（これらを総称して複数の検体保存機器という）に、それぞれ電気錠を設けて１チャンバー１ドナーの思想に基づくシステムを構築するとともに、この１チャンバー１ドナーをバーコードにより明示する一方、ドナーに対応させた検体の人為操作ミスによるコンタミネーションを生じにくくすることを目的とする。また、パソコンで指示した開錠もしくは施錠する検体保存機器を、集中管理の都合上、使用者に目視で認知させることにより、特に検体保存機器をパソコンとは別室に配置した場合における検体のコンタミネーションを防止するにあたり、各信号を通信で行えるようにした集中管理システムを提供することを目的とする。
【課題を解決するための手段】
【０００９】
請求項１の発明の集中管理システム（１）は、再生医療における目的検体を保存する電気錠（２１，２３）付きの複数の検体保存機器（３１，３３）と、各保存機器の電気錠（２１，２３）を集中管理するパソコン（５）と、このパソコン（５）に接続されたバーコードリーダ（６）及びバーコード発行機（７）と、各保存機器（３１，３３）とパソコン（５）との間に位置し各保存機器の電気錠（２１，２３）を開閉するドライバユニット（）とから構成され、各検体保存機器（３１，３３）には各バーコードラベル（１５）を貼りつけた１ドナーの検体を収納した培養容器（１０）もしくは培地保存ボトル（１１）を保存するとともに、ドライバユニット（）は、パソコン（５）の指示に基づき、バーコードリーダ（６）で読み取られたバーコード（１５）と同じバーコードラベルを貼り付けた検体が収納される検体保存機器（３１，３３）の電気錠（２１，２３）を開閉操作するものである。
【００１０】
請求項２の発明の集中管理システム（１）は、再生医療における目的検体を保存する電気錠（２１，２３）付きの複数の検体保存機器（３１，３３）と、各保存機器と通信線（４１，４３）により接続され各保存機器の電気錠（２１，２３）を集中管理するパソコン（５）と、このパソコン（５）に接続されたバーコードリーダ（６）及びバーコード発行機（７）と、各保存機器（３１，３３）とパソコン（５）との間に位置し各保存機器の電気錠（２１，２３）を開閉するドライバユニット（）とから構成され、前記バーコード発行機（７）で発行した１ドナーのバーコード（１５）を１ドナーの検体を収納した培養容器（１０）もしくは培地保存ボトル（１１）に対応させた工程指示書（１２）に張り付け、貼り付けられた工程指示書（１２）のバーコード（１５）のバーコードリーダ（６）での読み取り結果に基づき、前記ドライバユニット（２，３）は、当該バーコードを貼り付けた検体が収納される検体保存機器（３１，３３）の電気錠（２１，２３）だけを開閉操作するものである。
【００１１】
請求項３の発明の集中管理システム（１）は、前記検体保存機器が、培養装置（３１）と薬品保冷庫（３３）および／または超低温フリーザ（３５）であるものである。
【００１２】
請求項４の発明の集中管理システム（１）は、前記各検体保存機器に表示部（４１，４３）を設けたものである。
【００１３】
請求項５の発明の集中管理システム（１）は、前記ドライバユニット（２，３）は、電気錠を開放させる検体保存機器の表示部（４１，４３）を、他の件体保存機器の表示部（４１，４３）と異なる表示状態に制御するものである。
【００１４】
請求項６の発明の集中管理システム（１）は、再生医療における目的検体を保存する電気錠（２１，２３）付きの複数の検体保存機器（３１，３３）と、各保存機器の電気錠（２１，２３）を集中管理するパソコン（５）と、このパソコン（５）に接続されたバーコードリーダ（６）及びバーコード発行機（７）と、各保存機器（３１，３３）とパソコン（５）との間に位置し各保存機器の電気錠（２１，２３）を開閉するドライバユニット（２，３）とから構成され、バーコード発行機（７）は、検体に関する情報を入力する入力部と、当該情報をバーコード化して印刷する印刷部とを備えたものである。
【００１５】
請求項７の発明の集中管理システム（１）は、前記バーコード発行機（７）で発行され、且つ、あるドナーの検体を収納した培養容器（１０）もしくは培地保存ボトル（１１）に対応すると共に呼応する工程指示書（１２）に張り付けられるあるドナーに対応する複数のバーコード（１５）を備えたものである。
【００１６】
請求項８の発明の集中管理システム（１）は、再生医療における目的検体を保存する電気錠（２１，２３）付きの複数の検体保存機器（３１，３３）と、各保存機器と通信線（４１，４３）により接続され各保存機器の電気錠（２１，２３）及び表示部（４１，４３）を集中管理するパソコン（５）と、各保存機器（３１，３３）と信号線（４８，４９）により接続され前記パソコン（５）と通信線（４２，４４，４５）により接続されて各保存機器とパソコンの間に位置し各保存機器の電気錠（２１，２３）を開閉するドライバユニット（２，３）とを備えたものである。
【００１７】
請求項９の発明の集中管理システム（１）は、前記パソコン（５）に接続されたバーコードリーダ（６）を備えたものである。
【００１８】
請求項１０の発明の集中管理システム（１）は、前記パソコン（５）に接続されたバーコード発行機（７）が、検体に関する情報を入力する入力部と、当該情報をバーコード化して印刷する印刷部とを備えたものである。
【００１９】
請求項１１の発明の集中管理システム（１）は、前記検体保存機器（３１，３３）には、扉の開閉を検出する開閉センサを設け、前記ドライバユニット（２，３）は、当該センサからの信号により扉が閉塞された場合に自動的に電気錠（２１，２３）を閉塞させるものである。
【発明の効果】
【００２０】
以上詳述した如く請求項１の発明によれば、パソコン（５）の指示に基づきドライバユニット（２，３）により複数の検体保存機器（３１，３３）の中から、バーコードリーダ（６）で読み取られたバーコード（１５）と同じバーコードラベルを貼り付けた検体が収納される検体保存機器を選別し、選別された保存機器の電気錠（２１，２３）をそれぞれ独立して開閉制御・管理することができ、各検体保存機器（３１，３３）に対して１ドナーの検体を収納・保存することができ、１ドナー１チャンバーの体制を構築することが可能となる。
【００２１】
以上詳述した如く請求項２の発明によれば、工程指示書（１２）に貼り付けられたバーコード（１５）をバーコードリーダ（６）で読み取り、ドライバユニット（２，３）により読取結果に対応する同じバーコードが貼り付けられた培養容器（１０）もしくは培地保存ボトル（１１）を収納する検体保存機器の電気錠（２１，２３）を開閉操作することができ、１ドナー１チャンバーの状態を構築すると共に、一つでも検体保存機器の電気錠が開放されていれば、それ以外の検体保存機器の電気錠を閉塞状態にロックさせるという体制を構築でき、人為操作ミスによる検体の取り間違えを防止することが可能となり、再生医療現場における安全性を向上できる。
【００２２】
以上詳述した如く請求項３の発明によれば、検体保存機器として培養装置（３１）と薬品保冷庫（３３）および／または超低温フリーザ（３５）を選定することにより、目的検体の培養に加えて長期保存ができる集中管理システムを構築することができる。
【００２３】
以上詳述した如く請求項４の発明によれば、電気錠（２１，２３）を開放させた検体保存機器のみを電気錠が閉塞中の外の全ての検体保存機器とは異なる表示状態で表示部（４１，４３）に表示させることが可能となり、使用者への使い勝手を向上できる。
【００２４】
以上詳述した如く請求項５の発明によれば、電気錠を開放させる検体保存機器の表示部（４１，４３）を、他の検体保存機器の表示部と異なる表示状態に制御するため、電気錠が開放された即ち扉を開放することの可能な検体保存機器（３１，３３）を目視により確認することが可能となり、検体の出し入れ操作を行うべき機器を見分けることができ、検体の取り出しミスや入れ間違い即ち人為操作によるミスを未然に防ぐことが可能となる。
【００２５】
以上詳述した如く請求項６の発明によれば、入力部にて検体に関する情報を入力することで当該情報に対応するバーコード（１５）を印刷することができ、この印刷されたバーコード（１５）を対応する培養容器（１０）もしくは培地保存ボトル（１１）に貼り付けることができ、再生医療における目的検体をバーコード（１５）によって識別・管理することが可能となり、入力された検体に関する情報に合致するバーコード（１５）と同じバーコードラベルを貼り付けた検体が収納される検体保存機器を判別すると共に、判別された検体保存機器の電気錠（２１，２３）を開閉操作することで、各検体保存機器（３１，３３）に対して１ドナーの検体を収納・保存するだけでなく、所望とする検体保存機器の電気錠（２１，２３）をドライバユニット（２，３）を介して、遠隔操作することができ、集中管理システムとしての使用性及び安全性が向上する。
【００２６】
以上詳述した如く請求項７の発明によれば、同じバーコード（１５）を複数（ここでは少なくとも２枚）用意して、培養容器（１０）もしくは培地保存ボトル（１１）並びに工程指示書（１２）にそれぞれ対応させて貼り付けることが可能となり、所望する検体の管理が行い易くなる。
【００２７】
以上詳述した如く請求項８の発明によれば、パソコン（５）及びドライバユニット（２，３）により各検体保存機器（３１，３３）の電気錠（２１，２３）を集中して開閉操作することができ、所望の検体保存機器の電気錠（２１，２３）の集中管理が行える。
【００２８】
以上詳述した如く請求項９の発明によれば、再生医療における目的検体をバーコード（１５）によって識別・管理することが可能となる。
【００２９】
以上詳述した如く請求項１０の発明によれば、入力部にて検体に関する情報を入力することで当該情報に対応するバーコード（１５）を印刷することができ、この印刷されたバーコード（１５）を対応する培養容器（１０）もしくは培地保存ボトル（１１）並びに工程指示書（１２）に貼り付けることができ、検体のバーコード管理が実現できる。
【００３０】
以上詳述した如く請求項１１の発明によれば、使用者は検体保存機器（３１，３３）に対して検体の出し入れ操作時に必ず扉を閉塞するため、閉塞された場合に電気錠（２１，２３）の閉塞操作を指示すること無く、ドライバユニット（２，３）にて自動的の閉塞指示することができ、人為操作による電気錠（２１，２３）の閉塞ミスを防止できる。
【発明を実施するための最良の形態】
【００３１】
以下、図面に基づき本発明の実施例を詳述する。図１は本発明の集中管理システムの構成図、図２は本発明のドライバユニットの配線関連図、図３は本発明の電気錠のロック及び解除のフローチャート図、図４は本発明の電気錠の要部縦断面図、図５は本発明の電気錠の機械的ロックの状態を示す斜視図、図６は本発明の電気錠の機械的ロック解除の状態を示す斜視図をそれぞれ示している。
【実施例１】
【００３２】
本発明の第一の実施形態における検体保存機器の集中管理システム（機能性を考慮して取り違い防止システムという）１は、大学の研究室や病院等再生医療の現場となる建物に設置される細胞加工施設（Cell Processing Center）の中に配置され、複数の検体保存機器にそれぞれ電気錠を設けて、１チャンバー１ドナーの思想に基づくシステムを構築するとともに、この１チャンバー１ドナーをバーコードにより明示する一方、検体のコンタミネーションを生じにくくするシステムである。
【００３３】
図１に示すように、再生医療における目的検体（例えば、ドナー細胞）を保存する電気錠２１，２３付きの複数の検体保存機器３１，３３と、各保存機器と通信線４２，４４，４５により接続され各保存機器の電気錠２１，２３及び表示部４１，４３を集中管理する検体管理用のパソコン５と、各保存機器３１，３３と信号線４８，４９により接続され前記パソコン５と通信線４２，４４，４５により接続されて各保存機器とパソコンの間に位置し各保存機器の電気錠２１，２３を開閉するドライバユニット２，３と、信号線４６，４７によりパソコン５に接続されたバーコードリーダとしてのバーコードスキャナ６及びバーコード発行機７とから構成されている。
【００３４】
検体保存機器３としては、インキュベータにて代表される培養装置３１や、冷却装置を備えた薬品保冷庫３３、バイオハザード対策キャビネット、超低温フリーザー３５、恒温恒湿庫、滅菌庫等があり、本実施例においては、インキュベータ３１と薬品保冷庫３３及び超低温フリーザー３５を採用している。
【００３５】
インキュベータ３１は、前面に開口を有する断熱箱本体と、この開口を開閉自在に閉塞する断熱扉とでその内部に培養室を形成しており、内部（培養室内）の温度やＣＯ2濃度を一定に保持し、内部を無菌状態として培養対象としての細胞や微生物などの培養物（試料）を培養するものであるため、その内部は定期的な滅菌処理が必要となる。また、試料の培養にあたっては、培養室（貯蔵室）内の温度調節用に、加熱ヒータ及びその制御装置を設けている。この培養室の内部は、複数の棚により上下に区画され、培養室の底面には、加湿用の水を貯溜する加湿皿が配置され、金属例えばステンレス製の内箱の底面外側に配置された加熱手段により加熱されて水を蒸発させる。断熱扉の後方には、前面開口２Ａを開閉する透明な内扉が配置される。
【００３６】
薬品保冷庫３３は、前面に開口を有する断熱箱本体と、この開口を開閉自在に閉塞する断熱扉とでその内部に保冷室を形成しており、下部に設けられた冷却装置により冷却された空気を当該保冷室に循環させて保冷室内を所望の温度に冷却するものである。本例では、断熱扉を上下に２枚配置し、上の扉には内部を透視できるように透明窓を設けている。
【００３７】
また、インキュベータ３１の電気錠２１及び薬品保冷庫３３の電気錠２３には、それぞれ電気錠の開閉状態や、保存機器の運転状態及び異常状態を報知するための表示部４１，４３を設けている。この表示部４１，４３は、具体的には、ＬＥＤやランプ、液晶等の表示灯を配置している。本実施例では、ランプを採用し、電気錠が開放された場合に当該ランプを点灯させるものとする。尚、本実施例では、超低温フリーザー３５は電気錠無しのものを例示したが、好ましくは、電気錠付きの超低温フリーザーを選定した方が良い。
【００３８】
バーコード発行機７は、検体に関する情報を入力する入力部と、当該情報をバーコード化して印刷する印刷部とを備えており、バーコード発行機７（詳しくは印刷部）で発行した１ドナーのバーコード（本実施例では、２枚のバーコード）１５を１ドナーの検体を収納した培養容器１０もしくは培地保存ボトル１１に対応させた工程指示書１２に張り付け、バーコードリーダ６で貼り付けられた工程指示書のバーコード１５を読み取り、当該読み取ったバーコードを貼り付けた検体が収納される検体保存機器３１，３３の電気錠２１，２３のみを開閉操作するように、集中管理するパソコン５で動作制御している。
【００３９】
以上詳述した如く本取り違え防止システム１によれば、パソコン５により複数の検体保存機器３１，３３の電気錠２１，２３をそれぞれ独立して開閉制御・管理することができ、各検体保存機器３１，３３に対して１ドナーの検体を収納・保存する１ドナー１チャンバーの体制を構築することが可能となる。
【００４０】
また、工程指示書１２に貼り付けられたバーコード１５をバーコードスキャナ６で読み取り、パソコン５により読取結果に対応する同じバーコードが貼り付けられた培養容器１０もしくは培地保存ボトル１１が収納されている検体保存機器の電気錠２１，２３だけを開閉操作することができ、１ドナー１チャンバーの状態を構築すると共に、一つでも検体保存機器の電気錠が開放されていれば、それ以外の検体保存機器の電気錠を閉塞状態にロックさせるという体制を構築でき、人為操作ミスによる検体の取り間違えを防止することが可能となり、再生医療現場における安全性を向上できる。
【００４１】
さらに、検体保存機器として培養装置３１と薬品保冷庫３３とを選定することにより、目的検体の培養に加えて長期保存ができる集中管理システムを構築することができ、パソコン５により、電気錠２１，２３を開放させた検体保存機器のみを電気錠が閉塞中の外の全ての検体保存機器とは異なる表示状態で表示部４１，４３に表示させるため、電気錠が開放された即ち扉を開放することの可能な検体保存機器３１，３３を目視により確認することが可能となり、検体の出し入れ操作を行うべき機器を見分けることができ、検体の取り出しミスや入れ間違い即ち人為操作によるミスを未然に防ぐことが可能となる。
【００４２】
入力部にて検体に関する情報を入力することで当該情報に対応するバーコード１５を印刷することができ、この印刷されたバーコード１５を、対応する培養容器１０もしくは培地保存ボトル１１に貼り付けることができ、再生医療における目的検体をバーコード１５によって識別・管理することが可能となり、集中管理システムとしての使用性及び安全性が向上する。また、同じバーコード１５を複数（ここでは少なくとも２枚）用意して、培養容器１０もしくは培地保存ボトル１１並びに工程指示書１２にそれぞれ対応させて貼り付けることが可能となり、所望する検体の管理が行い易くなる。さらに、使用者は検体保存機器３１，３３に対して検体の出し入れ操作時に必ず扉を閉塞するため、閉塞された場合に電気錠２１，２３の閉塞操作を指示すること無く、パソコン５にて自動的の閉塞指示することができ、人為操作による電気錠２１，２３の閉塞ミスを防止できる。
【００４３】
次に、図２のブロック図に基づきドライバユニット２，３への信号の入出力関係について説明する。パソコン５とコンバータ４とは通信線４４により接続され、コンバータ４とドライバユニット２（３）（詳しくは、制御基板２Ｃ）とは通信線４２により接続されている。コンバータ４は、ＲＳ−２３２Ｃポートのパラレル信号からＲＳ−４８５ポートの通信用信号に変換するものであり、このＲＳ−４８５ポートには実質的には最大で３１個のドライバユニットを接続することが可能である。各ドライバユニットには、複数（ここでは６個）の出力端子１乃至６（２Ａｂ，２Ａｂ，２Ａｃ，２Ａｄ，２Ａｅ，２Ａｆ）と、入力端子２Ｂとがあり、各出力端子は、信号線４８（４９）を介して電気錠２１（２３）のロック端子に接続されている。
【００４４】
また、各電気錠２１（２３）のドアスイッチ端子は、並列に接続され単一の電気錠のドアスイッチ端子がドライバユニット２（３）の入力端子２Ｂに接続されている。この並列接続により、何れか一つの電気錠２１（２３）が開放され、且つ、扉が開かれた場合に、ドアスイッチがこれを検出して信号を出力し、ドライバユニットの入力端子２Ｂに入力される。通信線４４（具体的にはＲＳ−４８５ポート）には、最大で３１台のドライバユニットを接続することができるため、１台のドライバユニットにそれぞれ６つの出力ポートがあることを加味すると、最大数で６×３１＝１８６個の電気錠を当該通信線４４に接続することが可能である。
【００４５】
そして、図３のフローチャートに基づき、電気錠２１，２３のロックと解除の動作を、パソコン側とドライバ側に区分して説明する。まず、パソコン側に動作を説明する。ステップＳ０にてスタートされると、ロックを解除しようとする検体が収納されている保存機器を特定するため、ステップＳ１にてバーコードを入力する。このバーコード入力は、入力部を手動操作して入力したり、バーコードスキャナ６にて工程指示書１２のバーコードを読み取って自動入力しても良い。このステップＳ１で入力されたバーコードに基づき、ステップＳ２にて、当該バーコードの貼り付けられた容器１０もしくは１１が保存された保存機器３１，３３，３５のＩＤを検索（特定）する。当該検索結果に基づき、パソコン５は検索されたＩＤに対応する機器（即ち特定機器）の電気錠のロックを解除するために、ステップＳ３にて特定機器の扉の開閉状況を確認を指示する信号（確認コマンド）を通信線４４及び４２を介して出力しステップＳ４へ移行する。
【００４６】
ステップＳ４では、ドライバユニット側からの扉とラッチに関する状態信号（応答受信）の待機状態であり、通信線４２及び４４を介して状態信号が入力されるまで待機状態を継続し、状態信号が入力されればステップＳ５にて扉とラッチの両方が閉塞状態であるか否かが判断され、扉とラッチの両方共に閉塞状態でない場合（即ち、両方が開放状態か、何れか一方のみが開放状態である場合）、ステップＳ３に復帰し、扉とラッチの両方共に閉塞状態である場合、ステップＳ６にてラッチを開放させるための開放信号（動作コマンド）を出力してステップＳ７移行する。
【００４７】
ステップＳ７では、通信線４２及び４４を介してドライバユニット側からのラッチ解除の信号が出力されたことを示す動作指示の返信が為されるの待つ解除信号（応答受信）の待機状態であり、通信線４２及び４４を介して状態信号が入力されるまで待機状態を継続し、解除信号が入力されればステップＳ１へ復帰する。
【００４８】
次に、ドライバ側の動作を説明する。ステップＳ１０にてスタートされると、ステップＳ１１でドライバは確認コマンドの待機状態に入り、通信線４２及び４４を介して確認コマンドが入力されるまで待機状態を継続し、確認コマンドが入力されればステップＳ１２にて扉とラッチのそれぞれの状態（開放か閉塞か）が判断され、扉とラッチの状態確認結果が通信線４２及び４４を介してパソコン５側へ送信されステップＳ１３へ移行する。
【００４９】
ステップＳ１３では、単一の（唯一選定された）ラッチを開放させるための開放コマンドも待機状態に入り、通信線４２及び４４を介して開放コマンドが入力されるまで待機状態を継続し、開放コマンドが入力されれば、ステップＳ１４にてラッチの開放動作信号（詳しくは、ラッチ解除のためのソレノイドに通電すると共に、開錠する電気錠２１（２３）の表示部としての開錠ランプを点灯させる信号）を出力する。次のステップＳ１５では、ラッチの開放動作信号が出力されたことを示す動作指示の返信が通信線４２及び４４を介して為され、ステップＳ１６へ移行する。
【００５０】
ステップＳ１６では、ラッチの開放動作指示に基づき使用者により保存機器の扉が開放されたか否かが判断され、扉の開放が為されるまでこの判断が継続し、扉が開放されたことがドアスイッチにより確認されると、ステップＳ１７にてラッチが可能状態となったことを示す信号（即ち、ラッチのためにソレノイドへの通電を停止すると共に、開錠された電気錠２１（２３）の表示部としての開錠ランプを消灯させる信号）を出力してステップＳ１１へ復帰する。
【００５１】
以上のように、通信線４４及び４２を介して、パソコン５とドライバユニット２（３）の間をそれぞれのフローチャートにおける待機状態での信号もしくはコマンド確認の動作が為され、それぞれ独立した制御系統における信号もしくはコマンドのやり取りが連続的に行われる。
【００５２】
また、電気錠２１（２３）を開放させる検体保存機器の表示部４１，４３を、他の検体保存機器の表示部と異なる表示状態に制御するため、電気錠が開放された即ち扉を開放することの可能な検体保存機器３１，３３を目視により確認することが可能となり、検体の出し入れ操作を行うべき機器を見分けることができ、検体の取り出しミスや入れ間違い即ち人為操作によるミスを未然に防ぐことが可能となる。
【００５３】
さらに、再生医療における目的検体をバーコード１５によって識別・管理することが可能となり、入力された検体に関する情報に合致するバーコード１５と同じバーコードラベルを貼り付けた検体が収納される検体保存機器を判別すると共に、判別された検体保存機器の電気錠２１，２３を開閉操作することで、各検体保存機器３１，３３に対して１ドナーの検体を収納・保存するだけでなく、所望とする検体保存機器の電気錠２１，２３をドライバユニット２，３を介して、遠隔操作することができ、集中管理システムとしての使用性及び安全性が向上する。
【００５４】
以上詳述した如く第一の実施形態としての本取り違え防止システム１によれば、パソコン５により複数の検体保存機器３１，３３の電気錠２１，２３をそれぞれ独立して開閉制御・管理することができ、各検体保存機器３１，３３に対して１ドナーの検体を収納・保存する１ドナー１チャンバーの体制を構築することが可能となる。
【００５５】
また、工程指示書１２に貼り付けられたバーコード１５をバーコードスキャナ６で読み取り、パソコン５により読取結果に対応する同じバーコードが貼り付けられた培養容器１０もしくは培地保存ボトル１１が収納されている検体保存機器の電気錠２１，２３だけを開閉操作することができ、１ドナー１チャンバーの状態を構築すると共に、一つでも検体保存機器の電気錠が開放されていれば、それ以外の検体保存機器の電気錠を閉塞状態にロックさせるという体制を構築でき、人為操作ミスによる検体の取り間違えを防止することが可能となり、再生医療現場における安全性を向上できる。  
【実施例２】
【００５６】
本発明の第二の実施形態として、図４乃至図６を参照して電気錠２１（２３）の構造についてを説明する。各図において、電気錠２１（２３）は、保存機器３１，３３，３５の本体側に固定されるロック本体２１１（２３１）と、保存機器３１，３３，３５の扉（詳しくは断熱扉）側に固定されるロック受け部２１６（２３６）とで構成されている。
【００５７】
ロック本体２１１（２３１）には、扉のロック・ロック解除を切り替えるための爪部材２１３（２３３）を有するロック駆動部２１２（２３２）と、爪部材２１２（２３２）のロックが解除された場合に点灯して扉の開閉操作が可能な旨を表示する表示部としての開錠ランプ４１（４３）と、後述する鍵体により押し込まれているときに爪部材２１２（２３２）の動作を規制する開閉規制部材２１４（２３４）と、扉の開閉操作によって出没し扉の開閉状態を検出するドアスイッチ２１５（２３５）とを備える。ロック駆動部２１２は、非通電時において爪部材２１２をロック位置にするようにバネ等の付勢部材により常時爪部材を閉方向に付勢しており、通電時において付勢部材の押し付け力に抗して爪部材２１２の付勢を解除するように動作する電磁コイルが設けてある。
【００５８】
ロック受け部２１３（２３３）には、常時は爪部材２１２（２３２）に係合してロック状態を構成し、非常時（緊急時）には手動操作で回動されて爪部材２１２（２３２）との係合が解除される鍵体２１７（２３７）と、扉の開閉操作に同期してドアスイッチ２１５（２３５）を出没させる押圧部材２１９（２３９）とを備える。２１８は、停電や故障等何らかに事情により電気錠２１（２３）のロックを解除できなくなった場合に手動操作により鍵体２１７（２３７）を回動させる鍵穴であり、図５（ａ）に示すように、常時は扉が閉塞され電気錠がロックされている状態にあり、図５（ｂ）に示すように、緊急時には鍵穴２１８に図示しないマスターキーを挿入して一方向（ここでは右方向）に回転させると、鍵体２１７が当該回転に同期して右回転し爪部材２１２との係合関係が解除され、扉のロック状態が解除される。
【００５９】
尚、図５（ａ）に示すような、常時においてロック駆動部２１３による通電が為されれば、爪部材２１２と鍵体２１７との係合関係が解除されるため、図６（ａ）に示すように、扉を開放操作すれば扉は自由に開放できる。この時、ドアスイッチ２１９は突出しており扉が開放されたことを示す信号を出力し、開閉規制部材２１４も突出し爪部材２１２の動作を規制することはない。従って、扉を閉塞する場合、閉塞操作に伴い鍵体２１７の先端が爪部材２１２に衝突すると、この閉塞による力で規制の外れた爪部材２１２は上方へ回転するように押し上げられ、扉を完全に閉塞すれば鍵体２１７が爪部材２１２の後方位置に侵入することができる。この状態では、通電されているため、爪部材２１２の付勢力は働かず鍵体２１７との係合関係は解除されている。次に、ロック駆動部２１３への通電が停止されれば、爪部材２１２は付勢力により動作して鍵体２１７との係合関係が完成し、ロック状態となり、扉の開放操作が規制される。
【００６０】
以上詳述した如く第二の実施形態としての電子錠を採用すれば、ロック駆動部２１３への通電・非通電にかかわらず、鍵穴２１８にマスターキーを挿入して回動操作すれば、電気錠のロック状態を手動解除することができ、緊急時や異常時に保存機器の扉を開放することができないという不測の事態を回避することが可能となり、当該保存機器の集中管理システムとしての汎用性が向上する。
【図面の簡単な説明】
【００６１】
【図１】本発明の集中管理システムの構成図である。
【図２】本発明のドライバユニットの配線関連図である。
【図３】本発明の電気錠のロック及び解除のフローチャート図である。
【図４】本発明の電気錠の要部縦断面図である。
【図５】本発明の電気錠の機械的ロックと解除の各状態を示す斜視図である。
【図６】本発明の保存機器の扉を開放した場合の電気錠周辺の状態を示す斜視図である。
【符号の説明】
【００６２】
１  取り違え防止システム（集中管理システム）
２，３  ドライバユニット
４  コンバータ
５  パソコン
６  バーコードスキャナ（バーコードリーダ）
７  バーコード発行機
１０  培養容器
１１  培地保存ボトル
１２  工程指示書
１５  バーコード
２１，２３  電気錠
３１  インキュベータ（検体保存機器）
３３  薬品保冷庫（検体保存機器）
３５  超低温フリーザー
４１，４３  開錠ランプ（表示部）
４２，４４，４５  通信線
４６，４７，４８，４９  信号線
【図１】
2005304439.tif 000003
【図２】
2005304439.tif 000004
【図３】
2005304439.tif 000005
【図４】
2005304439.tif 000006
【図５】
2005304439.tif 000007
【図６】
2005304439.tif 000008